(57)【要約】【課題】プレーヤーに対し、目標物までの距離だけでなく、目標物の方位をも容易に認識させる。【解決手段】携帯電話端末１０は、プレーヤー１１の位置とプレーヤー１１が向いている方位に関する情報をデータサーバ３０に送信する。データサーバ３０は、携帯電話端末１０からのプレーヤー１１の位置および方位に関する情報に基づいて、プレーヤー１１の補正後の補正位置情報、プレーヤー１１の位置から目標物までの距離情報、プレーヤー１１が向いている方位に対する目標物の角度を示す方位情報を携帯電話端末１０に配信する。携帯電話端末１０は、データサーバ３０から配信された、補正位置情報、距離情報、方位情報を表示する。【選択図】      図１
2004354315.tif 000002
【特許請求の範囲】
【請求項１】
データサーバに接続可能な携帯電話端末において、
使用者の位置を検出する位置検出手段と、
前記使用者が向いている方位を検出する方位検出手段と、
前記位置検出手段および前記方位検出手段により得られた前記使用者の位置および方位に関する情報を前記データサーバに送信する通信手段と、
前記データサーバから前記通信手段に配信された、前記使用者の補正後の補正位置情報、前記使用者の位置から目標物までの距離情報、前記使用者が向いている方位に対する前記目標物の角度を示す方位情報を表示する表示手段とを有することを特徴とする携帯電話端末。
【請求項２】
前記表示手段は、前記データサーバから前記通信手段に配信された、前記使用者が位置している近傍の地形概略図上に、前記データサーバから前記通信手段に配信された、前記補正位置情報、前記距離情報、前記方位情報を表示することを特徴とする請求項１に記載の携帯電話端末。
【請求項３】
前記携帯電話端末に内蔵もしくは外付けされた撮影手段をさらに有し、
前記表示手段は、前記撮影手段で撮影された画像上に、前記データサーバから前記通信手段に配信された、前記補正位置情報、前記距離情報、前記方位情報を表示することを特徴とする請求項１に記載の携帯電話端末。
【請求項４】
使用者の位置を検出する位置検出手段、前記使用者が向いている方位を検出する方位検出手段、前記位置検出手段および前記方位検出手段により得られた前記使用者の位置および方位に関する情報を送信する通信手段を具備する携帯電話端末と、
前記携帯電話端末から送信されてきた前記使用者の位置および方位に関する情報に基づいて、前記使用者の補正後の補正位置情報、前記使用者の位置から目標物までの距離情報、前記使用者が向いている方位に対する前記目標物の角度を示す方位情報を前記携帯電話端末に配信するデータサーバとを有し、
前記携帯電話端末は、前記データサーバから前記通信手段に配信された、前記補正位置情報、前記距離情報、前記方位情報を表示する表示手段をさらに具備することを特徴とする情報提供システム。
【請求項５】
前記データサーバは、前記使用者の前記補正位置情報に基づいて、前記使用者が位置している近傍の地形概略図を前記携帯電話端末に配信し、
前記表示手段は、前記データサーバから前記通信手段に配信された前記地形概略図上に、前記データサーバから前記通信手段に配信された、前記補正位置情報、前記距離情報、前記方位情報を表示することを特徴とする請求項４に記載の情報提供システム。
【請求項６】
前記携帯電話端末は、当該携帯電話端末に内蔵もしくは外付けされた撮影手段を有し、
前記表示手段は、前記撮影手段で撮影した画像上に、前記データサーバから前記通信手段に配信された、前記補正位置情報、前記距離情報、前記方位情報を表示することを特徴とする請求項４に記載の情報提供システム。
【発明の詳細な説明】
【０００１】
【発明の属する技術分野】
本発明は、目標物に関する情報を表示する携帯電話端末、および当該携帯電話端末に当該情報を提供する情報提供システムに関する。
【０００２】
【従来の技術】
最近のゴルフ場では、キャディー不足や経費削減のため、キャディー無しで、キャディーカートを使用したプレーをプレーヤーに行わせることが多くなっている。また、プレーヤー側でも、プレー代金が安価になるため、キャディー無しで、キャディーカートを使用したプレーを望むことが多くなってきている。
【０００３】
近年、こうしたキャディーカートの各々に、人工衛星を使用した汎地球測位システム（以下、ＧＰＳと言う）の受信機を搭載し、ゴルフコース全体の状況をリアルタイムで管理するシステムが開発されている。
【０００４】
このようなキャディーカートは、ＧＰＳ受信機が搭載されているため、本キャディーカートから目標物までの距離、例えば、グリーン上のピンまでの距離を表示することが可能である。
【０００５】
しかしながら、一般的には、キャディーカートそのものはカート道と呼ばれるゴルフコース内の決められた路面上に沿ってのみ運行可能であるため、フェアウェイ内にいるプレーヤーは、自身の位置からピンまでの距離を正確に把握することは不可能であった。
【０００６】
このような問題を解決するために、例えば、特許文献１には、ＷＷＷ（Ｗｏｒｌｄ  Ｗｉｄｅ  Ｗｅｂ）に接続可能な携帯端末を使用した位置情報提供装置が開示されている。
【０００７】
詳細には、特許文献１に開示された位置情報提供装置は、ＧＰＳ受信機を備えた携帯端末と、携帯端末にＷＷＷ接続され、携帯端末に備えられたＧＰＳ受信機で得られたプレーヤーの位置の測位データと予め蓄積されたコース情報とに基づいて、プレーヤーの位置からプレーヤーが指定した目標物までの距離を算出し、その算出結果を携帯端末に配信するセンター端末とを有している。この位置情報提供装置によれば、プレーヤーは、自身の位置から、指定した目標物までの距離、例えばピンやバンカーや池までの距離を正確に把握することが可能となる。
【０００８】
【特許文献１】
特開２００２−２１４３２４号公報
【０００９】
【発明が解決しようとする課題】
しかしながら、特許文献１に開示された位置情報提供装置においては、プレーヤーは、自身の位置から目標物までの距離を把握することは可能であるが、目標物の方位を認識することは不可能であった。
【００１０】
特に、山間部にあるゴルフ場のゴルフコースは、左右に曲がっていたり、上下の起伏が激しい地形となっており、プレーヤーは、自身の位置から目標物の方向、例えばピンやバンカーや池の方向を直接目視することができない場合が多い。
【００１１】
このような場合、プレーヤーは、目標物の方向を認識することができないため、どの方向にボールを打って良いのか、判断できないことがあった。
【００１２】
そこで、本発明の目的は、プレーヤーが目標物までの距離だけでなく、目標物の方位をも容易に認識することができる携帯電話端末、および情報提供システムを提供することにある。
【００１３】
【課題を解決するための手段】
上記目的を達成するために本発明の携帯電話端末は、データサーバに接続可能な携帯電話端末において、使用者の位置を検出する位置検出手段と、前記使用者が向いている方位を検出する方位検出手段と、前記位置検出手段および前記方位検出手段により得られた前記使用者の位置および方位に関する情報を前記データサーバに送信する通信手段と、前記データサーバから前記通信手段に配信された、前記使用者の補正後の補正位置情報、前記使用者の位置から目標物までの距離情報、前記使用者が向いている方位に対する前記目標物の角度を示す方位情報を表示する表示手段とを有することを特徴とする。
【００１４】
この構成によれば、携帯電話端末は、使用者の位置から目標物までの距離情報だけでなく、使用者が向いている方位に対する目標物の角度を示す方位情報をも表示するため、使用者は、目標物を直接目視できないような状況下でも、目標物の方向を正確に把握することが可能となる。
【００１５】
なお、前記表示手段は、前記データサーバから前記通信手段に配信された、前記使用者が位置している近傍の地形概略図上に、前記データサーバから前記通信手段に配信された、前記補正位置情報、前記距離情報、前記方位情報を表示することとしても良い。または、前記携帯電話端末に内蔵もしくは外付けされた撮影手段をさらに有し、前記表示手段は、前記撮影手段で撮影された画像上に、前記データサーバから前記通信手段に配信された、前記補正位置情報、前記距離情報、前記方位情報を表示することとしても良い。
【００１６】
上記目的を達成するために本発明の情報提供システムは、使用者の位置を検出する位置検出手段、前記使用者が向いている方位を検出する方位検出手段、前記位置検出手段および前記方位検出手段により得られた前記使用者の位置および方位に関する情報を送信する通信手段を具備する携帯電話端末と、前記携帯電話端末から送信されてきた前記使用者の位置および方位に関する情報に基づいて、前記使用者の補正後の補正位置情報、前記使用者の位置から目標物までの距離情報、前記使用者が向いている方位に対する前記目標物の角度を示す方位情報を前記携帯電話端末に配信するデータサーバとを有し、前記携帯電話端末は、前記データサーバから前記通信手段に配信された、前記補正位置情報、前記距離情報、前記方位情報を表示する表示手段をさらに具備することを特徴とする。
【００１７】
【発明の実施の形態】
以下に、本発明の実施の形態について図面を参照して説明する。
【００１８】
図１は、本発明の一実施形態による情報提供システムの構成図である。
【００１９】
図１を参照すると、本実施形態による情報提供システムは、使用者（以下、プレーヤーと称する）１１がゴルフのプレー中に持ち歩く携帯電話端末１０と、全国各地のゴルフ場の情報を一元管理するＷＥＢセンター３１内のデータサーバ３０と、携帯電話端末１０およびデータサーバ３０をインターネットに接続するインターネット接続サーバ２０と、全国各地のゴルフ場のクラブハウス４３内のコンピュータ端末４１およびＧＰＳ受信装置４２とを有する。なお、クラブハウス４３内のコンピュータ端末４１には、データサーバ３０との間で電話回線を介して各種データを送受信するモデム４０が内蔵または外付けされている。
【００２０】
図２は、図１に示した携帯電話端末１０の構成図である。
【００２１】
図２を参照すると、携帯電話端末１０は、地上に設置されている携帯電話基地局（不図示）との間で無線電波の送受信を行うとともにインターネット接続サーバ２０を介してデータサーバ３０との間で無線電波の送受信を行うアンテナ１０１と、本携帯電話端末１０の変復調および増幅器等が含まれる無線部１０２と、各種機能の制御を行う制御部１０６と、通話相手からの受話音声を出力するレシーバー１０７と、プレーヤー１１の送話音声を集音するマイク１０８と、プレーヤー１１が入力に使用するダイアル等であるＫＥＹ入力部１０９と、本携帯電話端末１０の状況等を表示するＬＣＤ等である表示部１１０と、本携帯電話端末１０のソフトウェアや各種データが格納されるメモリ部１１１と、周囲の風景等を撮影可能なカメラ部１１２と、本携帯電話端末１０の電源となるバッテリー部１１３とを有している。なお、カメラ部１１２は、本携帯電話端末１０に内蔵または外付けされている。
【００２２】
さらに、携帯電話端末１０は、宇宙空間に存在するＧＰＳ衛星の電波を受信するＧＰＳアンテナ１０３と、受信したＧＰＳ電波を増幅・復調してプレーヤー１１の位置を検出するＧＰＳ受信部１０４と、プレーヤー１１の方位（プレーヤー１１が向いている方向）を検出する方位検出部１０５とを有している。
【００２３】
クラブハウス４３内には、上述のようにコンピュータ端末４１およびＧＰＳ受信装置４２が設けられている。
【００２４】
ＧＰＳ受信装置４２は、クラブハウス４３内において、正確な座標位置情報として緯度、経度、標高が予め測定されている座標位置に設置されており、その座標位置での実際の座標位置情報を測定する。
【００２５】
コンピュータ端末４１は、ＧＰＳ受信装置４２で測定された座標位置情報を処理する。一般に、ＧＰＳ受信装置４２で測定される座標位置情報は、その時の気象状況などによって、実際の正確な座標位置情報と一致しない場合が多い。これを補正するため、コンピュータ端末４１は、随時、ＧＰＳ受信装置４２で測定された座標位置情報と、ＧＰＳ受信装置４２の設置位置の正確な座標位置情報との差分を検出し、検出した座標位置情報の差分値をデータサーバ３０に送信する。
【００２６】
また、コンピュータ端末４１は、ゴルフ場の各ホールの座標位置情報、各ホールの地形概略図等を含むコース情報をデータサーバ３０に送信する。
【００２７】
図３は、図１に示したデータサーバ３０の構成図である。
【００２８】
図３を参照すると、データサーバ３０は、インターネット接続サーバ２０を介して携帯電話端末１０との間で無線電波の送受信を行うアンテナ３０１と、本データサーバ３０の変復調および増幅器等が含まれる無線部３０２と、クラブハウス４３内のコンピュータ端末４１との間で電話回線を介して各種データを送受信するモデム３０３と、各種機能の制御を行う制御部３０４と、クラブハウス４３内のコンピュータ端末４１から受信したコース情報を記憶するコース情報記憶部３０５と、携帯電話端末１０から受信したプレーヤー１１の座標位置を、クラブハウス４３内のコンピュータ端末４１から受信した差分値に基づき補正する位置情報補正部３０６と、プレーヤー１１が位置するホールの地形概略図をコース情報記憶部３０５から取得する概略図取得部３０７と、プレーヤー１１の位置から目標物までの距離情報を算出する距離情報算出部３０８と、プレーヤー１１が向いている方位に対する目標物の角度を示す方位情報を算出する方位情報算出部３０９とを有する。なお、位置情報補正部３０６、概略図取得部３０７、距離情報算出部３０８、方位情報算出部３０９の各々で得られた上記の情報は、制御部１０６の制御の元で、携帯電話端末１０に配信される。
【００２９】
以下に、図１〜図３に示した位置情報システムの動作について、図４のフローチャートを参照して説明する。
【００３０】
図４を参照すると、携帯電話端末１０は、プレーヤー１１が目標物までの距離情報および目標物の方位情報を得ようする場合、インターネット接続サーバ２０を介してデータサーバ３０に接続する（ステップ４０１）。
【００３１】
次に、携帯電話端末１０は、ＧＰＳ受信部１０４により得られたプレーヤー１１の座標位置情報と、方位検出部１０５により得られたプレーヤー１１の方位情報（プレーヤー１１が向いている方向の情報）とを、データサーバ３０に送信する（ステップ４０２）。
【００３２】
データサーバ３０は、携帯電話端末１０からのプレーヤー１１の座標位置情報および方位情報を受信すると、位置情報補正部３０６により、携帯電話端末１０から受信したプレーヤー１１の座標位置情報と、クラブハウス４３内のコンピュータ端末４１から受信した座標位置情報の差分値とを加算し、プレーヤー１１の座標位置情報を補正する。
【００３３】
次に、データサーバ３０は、概略図取得部３０９により、プレーヤー１１の補正後の座標位置情報に基づいて、コース情報記憶部３０５に記憶されているコース情報からプレーヤー１１が位置するホールの地形概略図を取得する。
【００３４】
また、データサーバ３０は、距離情報算出部３０７により、プレーヤー１１の補正後の補正座標位置情報と、コース情報記憶部３０５に記憶されているコース情報とに基づいて、プレーヤー１１の位置から目標物までの距離を算出する。なお、目標物は、後述するようにステップ４０７で携帯電話端末１０から新たな目標物への変更が指示されるまでの間は、初期値（例えばプレーヤー１１が位置するホールのグリーン上のピン）に設定されている。
【００３５】
さらに、データサーバ３０は、方位情報算出部３０８により、携帯電話端末１０から受信したプレーヤー１１の方位情報と、コース情報記憶部３０５に記憶されているコース情報とに基づいて、プレーヤー１１が現在向いている方向と目標物の方向との差分角度を示す方位情報を算出する。
【００３６】
その後、データサーバ３０は、上記で得られた情報、すなわち、プレーヤー１１が位置するホールの地形概略図、プレーヤー１１の補正後の補正座標位置情報、プレーヤー１１の位置から目標物までの距離情報、プレーヤー１１が向いている方位に対する目標物の角度を示す方位情報を、携帯電話端末１０に配信する（ステップ４０３）。
【００３７】
携帯電話端末１０は、データサーバ３０から上記で配信された情報を受信すると、受信した情報を表示部１１０に表示する（ステップ４０４）。このとき、表示部１１０に表示される一表示例を図５に示す。本表示例では、コースの地形概略図として、グリーン、バンカー、池、林が表示されている。その他に、プレーヤー１１の位置情報、目標物であるグリーン上のピンまでの距離情報が表示されるとともに、グリーン上のピンの方位情報が矢印マークとして表示されている。
【００３８】
再度図４を参照すると、携帯電話端末１０は、ステップ４０４の処理終了後、方位検出部１０５またはＧＰＳ受信部１０４により得られた方位情報または座標位置情報に変更があるかを判定する（ステップ４０５）。
【００３９】
携帯電話端末１０は、方位情報または座標位置情報に変更がある場合（ステップ４０５のＹＥＳ）、例えば、プレーヤー１１が移動したり、プレーヤー１１がグリーン方向に向きを変更したりした場合には、ステップ４０２の処理に戻り、新たな方位情報または座標位置情報を、再度、アンテナ１０１からデータサーバ３０に送信する。データサーバ３０は、携帯電話端末１０からの新たな方位情報または座標位置情報に応じて、プレーヤー１１が位置するホールの地形概略図、プレーヤー１１の補正後の位置情報、プレーヤー１１の位置から目標物までの距離情報、プレーヤー１１が向いている方位に対する目標物の角度を示す方位情報を再度算出し、携帯電話端末１０に配信する。携帯電話端末１０は、データサーバ３０からの情報を表示部１１０に表示する。
【００４０】
これにより、携帯電話端末１０は、プレーヤー１１が移動したり、向きを変更したりした場合にも、目標物までの距離情報と、目標物の方位情報を表示部１１０に表示することが可能となる。
【００４１】
携帯電話端末１０は、方位情報または座標位置情報に変更がない場合（ステップ４０５のＮＯ）、目標物に変更があるかを判定し（ステップ４０６）、目標物に変更がない場合（ステップ４０６のＮＯ）、ステップ４０５の処理に戻る。
【００４２】
携帯電話端末１０は、目標物に変更がある場合（ステップ４０６のＹＥＳ）、例えば、図５において、プレーヤー１１がバンカーまでの距離や方位を知るためにＫＥＹ入力部１０９を介して新たな目標物をバンカーに変更する旨を指示した場合には、その目標物の情報をデータサーバ３０に送信する（ステップ４０７）。データサーバ３０は、携帯電話端末１０から指示された新たな目標物までの距離情報や方位情報を再度算出し、携帯電話端末１０に配信する。携帯電話端末１０は、データサーバ３０からの情報を表示部１１０に表示する。
【００４３】
これにより、携帯電話端末１０は、プレーヤー１１が目標物を新たにバンカーに変更した場合にも、バンカーまでの距離情報や方位情報を表示部１１０に表示することが可能となる。
【００４４】
なお、本実施形態においては、携帯電話端末１０の表示部１１０に、データサーバ３０から受信したコースの地形概略図を表示したが、本発明はこれに限定されず、コースの地形概略図の替わりに、携帯電話端末２０１に設けられたカメラ部１１２にて撮影された風景を表示することも可能である。
【００４５】
詳細には、携帯電話端末１０は、ステップ４０７の処理終了後、プレーヤー１１がＫＥＹ入力部１０９を介してカメラモードに変更する旨を指示した場合、コースの地形概略図の替わりに、カメラ部１１２にて撮影された風景画を表示部１１０に表示する。このとき、表示部１１０に表示される一表示例を図６に示す。
【００４６】
これにより、携帯電話端末１０は、カメラ部１１２にて撮影された風景画上に、データサーバ３０から受信した目標物の方位情報、目標物までの距離を表示することが可能となる。従って、プレーヤー１１は実際の風景上で目標物のより正確な方位を確認することが可能となる。
【００４７】
また、本実施形態においては、ゴルフ場に位置する使用者のみを対象に目標物の方位情報や距離情報を提供することとしているが、本発明はこれに限定されず、全国各地のゴルフ場以外の場所に位置する使用者をも対象に含めることができるのは言うまでもない。
【００４８】
【発明の効果】
以上説明したように本発明の携帯電話端末によれば、使用者の位置および使用者が向いている方位に関する情報をデータサーバに送信し、これに応答してデータサーバから配信されてきた、使用者の補正後の補正位置情報、使用者の位置から目標物までの距離情報、使用者が向いている方位に対する目標物の角度を示す方位情報を表示するような構成としている。
【００４９】
したがって、ゴルフ場でゴルフを行っている使用者は、グリーン上のピン、バンカー、池等の目標物を直接目視できないような状況下でも、目標物の方向を正確に把握することが可能となる。
【図面の簡単な説明】
【図１】本発明の一実施形態による情報提供システムの構成図である。
【図２】図１に示した携帯電話端末の構成図である。
【図３】図１に示したデータサーバの構成図である。
【図４】図１に示した情報提供システムの動作を説明するフローチャートである。
【図５】図１に示した携帯電話端末の一表示例を示す図である。
【図６】図１に示した携帯電話端末の他の表示例を示す図である。
【符号の説明】
１０    携帯電話端末
１１    使用者（プレーヤー）
２０    インターネット接続サーバ２０
３０    データサーバ
３１    ＷＥＢセンター
４０    モデム
４１    コンピュータ端末
４２    ＧＰＳ受信装置
４３    クラブハウス
１０１    アンテナ
１０２    無線部
１０３    ＧＰＳアンテナ
１０４    ＧＰＳ受信部
１０５    方位検出部
１０６    制御部
１０７    レシーバー
１０８    マイク
１０９    ＫＥＹ入力部
１１０    表示部
１１１    メモリ部
１１２    カメラ部
１１３    バッテリー部
３０１    アンテナ
３０２    無線部
３０３    モデム
３０４    制御部
３０５    コース情報記憶部
３０６    位置情報補正部
３０７    概略図取得部
３０８    距離情報算出部
３０９    方位情報算出部
【図１】
2004354315.tif 000003
【図２】
2004354315.tif 000004
【図３】
2004354315.tif 000005
【図４】
2004354315.tif 000006
【図５】
2004354315.tif 000007
【図６】
2004354315.tif 000008